(57)【特許請求の範囲】
【請求項１】
複数のブロックが積み上げられて構築されたブロック壁と、一端がブロックの背面側に取り付けられ、他端にアンカー材が取り付けられ、ブロックの背面側に構築された盛土工内にアンカー材とともに埋設される水平タイ材とを備えた補強土擁壁であって、
ブロックは、本体と、該本体から背面側に突設した突出部とを備え、該突出部には、側方に貫通するボルトを通す通し孔が形成されており、
水平タイ材は、その一端に固定した羽子板を介し、前記ボルトを利用してブロックの突出部に固定して設けられており、
ブロックの本体と盛土工の間であって、ブロック壁から背面側に突出する複数の前記突出部の間に形成される空間は、空洞部として残されており、
ブロックの本体から前記突出部が２つ突設されており、
前記２つの突出部の側面には、それぞれ水平タイ材の一端に固定された羽子板が、突出部に形成された通し孔に挿通されたボルト及びナットで締結されており、
前記突出部の背面に当接して内部壁面材が配置され、前記水平タイ材及びアンカー材とともに盛土工内に埋設される構成であることを特徴とする補強土擁壁。
【請求項２】
複数のブロックが積み上げられて構築されたブロック壁と、一端がブロックの背面側に取り付けられ、他端にアンカー材が取り付けられ、ブロックの背面側に構築された盛土工内にアンカー材とともに埋設される水平タイ材とを備えた補強土擁壁であって、
ブロックは、本体と、該本体から背面側に突設した突出部とを備え、該突出部には、側方に貫通するボルトを通す通し孔が形成されており、
水平タイ材は、その一端に固定した羽子板を介し、前記ボルトを利用してブロックの突出部に固定して設けられており、
ブロックの本体と盛土工の間であって、ブロック壁から背面側に突出する複数の前記突出部の間に形成される空間は、空洞部として残されており、
ブロックの本体から前記突出部が２つ突設されており、
前記２つの突出部の間には、連結棒が取り付けられており、
前記ボルトは、連結棒の両端部に形成されており、該両端部は、それぞれ前記２つの突出部の通し孔に挿通され、スペーサー及びナットで締結されており、
前記連結棒にＵ形連結板が装着され、該Ｕ形連結板に水平タイ材の一端に固定された羽子板が固着されており、                                            
前記突出部の背面に当接して内部壁面材が配置され、前記水平タイ材及びアンカー材とともに盛土工内に埋設される構成であることを特徴とする補強土擁壁。
【請求項３】
複数のブロックを積み上げてブロック壁を構築し、水平タイ材の一端をブロックの背面側に取り付け、他端にアンカー材を取り付け、ブロックの背面側に盛土を充填して転圧し締固めて盛土工を造り、該盛土工内に水平タイ材及びアンカー材を埋設して補強土擁壁を構築する補強土擁壁の施工法であって、
ボルトを、ブロックの本体から背面側に突設した突出部に側方に向けて貫通して形成された通し孔に通し、
前記ボルトを利用して、水平タイ材をその一端に固定した羽子板を介しブロックの突出部に固定して設け、
ブロックの背面側に、盛土を充填して盛土工を造り、該盛土工内に水平タイ材及び該水平タイ材の他端に固定されたアンカー材とともに埋め込み、
ブロックの本体と盛土工の間であって、ブロック壁から背面側に突出する複数の前記突出部の間に形成される空間は、空洞部として残しておき、
背面側に突出部を２つ突設したブロックを使用し、
前記ボルトを両端部に有する連結棒を、該両端部をそれぞれ前記２つの突出部の通し孔に挿通し、スペーサー及びナットで締結して、連結棒を前記２つの突出部の間に取り付け、
前記連結棒にＵ形連結板を装着し、該Ｕ形連結板に水平タイ材の一端に固定された羽子板を固着し、
前記突出部の背面に、内部壁面材を当接して配置し、前記水平タイ材及びアンカー材とともに盛土工内に埋設することを特徴とする補強土擁壁の施工法。
【請求項４】
複数のブロックを積み上げてブロック壁を構築し、水平タイ材の一端をブロックの背面側に取り付け、他端にアンカー材を取り付け、ブロックの背面側に盛土を充填して転圧し締固めて盛土工を造り、該盛土工内に水平タイ材及びアンカー材を埋設して補強土擁壁を構築する補強土擁壁の施工法であって、
ボルトを、ブロックの本体から背面側に突設した突出部に側方に向けて貫通して形成された通し孔に通し、
前記ボルトを利用して、水平タイ材をその一端に固定した羽子板を介しブロックの突出部に固定して設け、
ブロックの背面側に、盛土を充填して盛土工を造り、該盛土工内に水平タイ材及び該水平タイ材の他端に固定されたアンカー材とともに埋め込み、
ブロックの本体と盛土工の間であって、ブロック壁から背面側に突出する複数の前記突出部の間に形成される空間は、空洞部として残しておき、
ブロックとして、本体から前記突出部が２つ突設したブロックを使用し、
前記２つの突出部の側面には、それぞれ水平タイ材の一端に固定された羽子板を当接して、突出部に形成された通し孔に挿通されたボルト及びナットで締結し、
前記突出部の背面に当接して内部壁面材を配置し、前記水平タイ材及びアンカー材とともに盛土工内に埋設することを特徴とする補強土擁壁の施工法。
【発明の詳細な説明】
【技術分野】
【０００１】
本発明は、道路擁壁、駐車場や工場等の敷地造成地の擁壁、土捨て場の擁壁、治山ダム、砂防ダムをはじめ多くの場所に適用される補強土擁壁及びその施工法に関する。
に関する。
【背景技術】
【０００２】
従来、道路擁壁、駐車場や工場等の敷地造成地の擁壁、土捨て場の擁壁、治山ダム、砂防ダム等に適用される補強土擁壁において、壁面材をエキスパンドメタル（網状の鋼製部材）を利用して施工する構成は知られている（特許文献１参照）。
【０００３】
また、盛土構造において、板状ブロックの壁面材を使用し、上下ブロックの間には継手金具及びスライド式ジョイントを設け、且つ補強土中に埋め込んだアンカー部材とスライド式ジョイントを連結する構成は公知である（特許文献２参照）。
【０００４】
さらに、ブロック材の背面に、間隔をおいて型枠材を配設し、ブロック材と型枠材との間に、粒状排水材を充填し、排水性に優れた補強土擁壁を構築する構築方法が公知である（特許文献３参照）。
【先行技術文献】
【特許文献】
【０００５】
【特許文献１】特開平０８−２８４１７３号公報（段落００１３、図１、４）
【特許文献２】特開平１１−２５６５８０号公報（段落０００４、図１、２）
【特許文献３】特開２００１−１８２０６５号公報（特許請求の範囲、図６）
【発明の概要】
【発明が解決しようとする課題】
【０００６】
ブロック壁の背面側に盛土工を構築して成る補強土擁壁は、強度の向上、作業性の効率化の観点からみて、ブロック壁を構成するブロック間に目地材を充填する等の手をかけることを、必要以上することなく、自立し、安定的に保持可能とすることが重要である。
【０００７】
また、ブロックの背面側の盛土をブロック壁の壁際までの転圧し締固めることは重要である。ブロック壁の壁際までの転圧し締固めることができれば、盛土工の強度が向上し、従来の補強土擁壁では必要とされていた面状補強材等を使用する必要がないので、作業性、コスト面でも効果が大きい。
【０００８】
ところで、特許文献２記載の補強土盛土工では、ブロック壁面材の背面側に、所定の間隔をおいてメッシュ又は格子状垂直壁を配置しているので、ブロック壁面材の壁際まで転圧して締固めることができないばかりでなく、メッシュ又は格子状垂直壁は、ブロック壁面材に対して前後方向に移動する可能性があり、さらに改善の余地がある。
【０００９】
また、特許文献３記載の補強土擁壁は、ブロック材に対して所定の間隔をおいて型枠を配置しているので、ブロック壁面材の壁際まで転圧して締固めることができない。ブロック材と型枠の間に粒状排水材を充填しているので、ロック材に対して型枠が前後方向に移動する可能性は少なくなるが、粒状排水材充填のための作業が必要となり、さらに改善の余地がある。
【００１０】
本発明は、上記従来の問題を解決することを目的とし、ブロック壁に水平タイ材の一端を簡単かつ確実な取付構造で取付け、水平タイ材を盛土工内に埋め込み確実に保持し、ブロック壁を安定して保持し、しかも、ブロック壁の壁際まで盛土の転圧による締固めを可能とすることで、補強土擁壁の強度及び安定性を向上可能とするとともに、作業性の効率化を図ることを課題とする。
【課題を解決するための手段】
【００１１】
本発明は上記課題を解決するために、複数のブロックが積み上げられて構築されたブロック壁と、一端がブロックの背面側に取り付けられ、他端にアンカー材が取り付けられ、ブロックの背面側に構築された盛土工内にアンカー材とともに埋設される水平タイ材とを備えた補強土擁壁であって、ブロックは、本体と、該本体から背面側に突設した突出部とを備え、該突出部には、側方に貫通するボルトを通す通し孔が形成されており、水平タイ材は、その一端に固定した羽子板を介し、前記ボルトを利用してブロックの突出部に固定して設けられており、ブロックの本体と盛土工の間であって、ブロック壁から背面側に突出する複数の前記突出部の間に形成される空間は、空洞部として残されている構成であることを特徴とする補強土擁壁を提供する。
【００１２】
ブロックの本体から前記突出部が２つ突設されており、前記２つの突出部の間には、連結棒が取り付けられており、前記ボルトは、連結棒の両端部に形成されており、該両端部は、それぞれ前記２つの突出部の通し孔に挿通され、スペーサー及びナットで締結されており、前記連結棒にＵ形連結板が装着され、該Ｕ形連結板に水平タイ材の一端に固定された羽子板が固着されており、前記突出部の背面に当接して内部壁面材が配置され、前記水平タイ材及びアンカー材とともに盛土工内に埋設される構成とすることが好ましい。
【００１３】
前記突出部は、左右の側壁と底壁とを備え断面Ｕ形をしており、該左右の側壁の先端側には、ブロック本体に対向する後壁が一体に形成されており、前記左右の側壁のいずれかに、前記ボルトを通す通し孔が形成されており、左右方向に互いに隣接するブロックは、それぞれの突出部のうち互いに隣接する側壁の間に連結棒が取り付けられており、前記ボルトは、連結棒の両端部に形成されており、該両端部は、それぞれ前記互いに隣接する側壁の通し孔に挿通され、スペーサー及びナットで締結されており、前記連結棒にＵ形連結板が装着され、該Ｕ形連結板にアンカー材の一端に固定された羽子板が固着されている構成とすることが好ましい。
【００１４】
ブロックの本体から前記突出部が２つ突設されており、前記２つの突出部の側面には、それぞれ水平タイ材の一端に固定された羽子板が、突出部に形成された通し孔に挿通されたボルト及びナットで締結されており、前記突出部の背面に当接して内部壁面材が配置され、前記水平タイ材及びアンカー材とともに盛土工内に埋設される構成とすることが好ましい。
【００１５】
本発明は上記課題を解決するために、複数のブロックを積み上げてブロック壁を構築し、水平タイ材の一端をブロックの背面側に取り付け、他端にアンカー材を取り付け、ブロックの背面側に盛土を充填して転圧し締固めて盛土工を造り、該盛土工内に水平タイ材及びアンカー材を埋設して補強土擁壁を構築する補強土擁壁の施工法であって、ボルトを、ブロックの本体から背面側に突設した突出部に側方に向けて貫通して形成された通し孔に通し、前記ボルトを利用して、水平タイ材をその一端に固定した羽子板を介しブロックの突出部に固定して設け、ブロックの背面側に、盛土を充填して盛土工を造り、該盛土工内に水平タイ材及び該水平タイ材の他端に固定されたアンカー材とともに埋め込み、ブロックの本体と盛土工の間であって、ブロック壁から背面側に突出する複数の前記突出部の間に形成される空間は、空洞部として残しておくことが好ましい。
【００１６】
背面側に突出部を２つ突設したブロックを使用し、前記ボルトを両端部に有する連結棒を、該両端部をそれぞれ前記２つの突出部の通し孔に挿通し、スペーサー及びナットで締結して、連結棒を前記２つの突出部の間に取り付け、前記連結棒にＵ形連結板を装着し、該Ｕ形連結板に水平タイ材の一端に固定された羽子板を固着し、前記突出部の背面に、内部壁面材を当接して配置し、前記水平タイ材及びアンカー材とともに盛土工内に埋設することが好ましい。
【００１７】
ブロックとして、突出部が左右の側壁と底壁とを備え断面Ｕ形をしており、該左右の側壁の先端側には、ブロック本体に対向する後壁が一体に形成されたブロックを使用し、前記ボルトを前記左右の側壁のいずれかに形成された通し孔に挿通し、左右方向に互いに隣接するブロックを、それぞれの突出部のうち互いに隣接する側壁の通し孔に、前記ボルトが両端部に形成された連結棒を挿通し、スペーサー及びナットで締結することで、締結し、前記連結棒にＵ形連結板を装着し、該Ｕ形連結板にアンカー材の一端に固定された羽子板を固着することが好ましい。
【００１８】
ブロックとして、本体から前記突出部が２つ突設したブロックを使用し、前記２つの突出部の側面には、それぞれ水平タイ材の一端に固定された羽子板を当接して、突出部に形成された通し孔に挿通されたボルト及びナットで締結し、前記突出部の背面に当接して内部壁面材を配置し、前記水平タイ材及びアンカー材とともに盛土工内に埋設することが好ましい。
【発明の効果】
【００１９】
本発明によれば、次のような効果が生じる。
（１）水平タイ材は、その一端はブロックの突出部に強固に固定され、他端に固定されたアンカー材とともに盛土内に埋め込まれているので、ブロック壁は、盛土工の前面側に強固に固定され、ブロックの剥がれ落ちや滑落等が発生しにくくなる。
【００２０】
（２）盛土の締固め作業は、ブロック壁の背面際まで転圧ローラで転圧することによって行うことができるので、強固な盛土工を造ることが可能となる。
【００２１】
（３）ブロックの本体と突出部の背面の間であって、内部壁面材の前方に存在する空洞部には、従来例のように砕石や内部壁面材等の充填する必要がなく、水平タイ材、アンカー材及び内部壁面材の設置のための作業以外は、盛土及びその締固めによる盛土工の施工のみをすればよいので、施工法がきわめて簡単となる。
【００２２】
内部壁面材を設ける場合には、ブロックの突出部の背面に当接し設置し、しかも、ブロックや水平タイ材に連結するようなことなく、単に、盛土工の上面に載置し、盛土工内に埋設するように設置したので、強固に固定され、しかもブロックや水平タイ材に拘束されることなく、盛土工の沈み込みとともに沈みこみ変形等が生じるおそれがない。
【図面の簡単な説明】
【００２３】
【図１】本発明の実施例１の補強土擁壁の断面図である。
【図２】本発明の実施例１の補強土擁壁の正面図である。
【図３】本発明の実施例１の補強土擁壁の平面図である。
【図４】本発明の実施例１の補強土擁壁の部品を説明する図であり、（ａ）はＵ形連結板の平面図であり、（ｂ）はＵ形連結板の断面図であり、（ｃ）は水平タイ材の平面図である。
【図５】本発明の実施例１のブロックに水平タイ材を取り付ける取付構造を背面側見た示す斜視図である。
【図６】本発明の実施例１のブロックに水平タイ材を取り付ける取付構造及び内部壁面材を背面側から見た斜視図である。
【図７】本発明の実施例２の補強土擁壁の平面図である。
【図８】本発明の実施例２の補強土擁壁のブロック壁を示す図であり、（ａ）は図７のＡ−Ａから見た正面図であり、（ｂ）は図７のＢ−Ｂ断面図である。
【図９】本発明の実施例２の補強土擁壁のブロックの要部を示す図であり、（ａ）は図８のＣ−Ｃ断面図であり、（ｂ）は図９のＤ−Ｄ断面図である。
【図１０】本発明の実施例３のブロックに水平タイ材を取り付ける取付構造を背面側見た示す斜視図である。
【図１１】本発明の実施例３のブロック壁に水平タイ材を取り付けた状態を背面側から見た斜視図である。
【図１２】本発明の実施例３の補強土擁壁の断面図である。
【図１３】本発明の実施例３の補強土擁壁の正面図である。
【図１４】本発明の実施例３の補強土擁壁の平面図である。
【発明を実施するための形態】
【００２４】
本発明に係る補強土擁壁及びその施工法を実施するための形態を実施例に基づき図面を参照して説明する。以下、本発明に係る補強土擁壁の施工の工程を通して、その構造及び施工法について説明する。
【実施例１】
【００２５】
本発明に係る補強土擁壁及びその施工法の実施例１を、図１〜６において説明する。図１、２において、実施例１の補強土擁壁１を構築するには、まず基礎砕石２上に基礎コンクリート３を施工し、この基礎コンクリート３上に、複数のブロック６を面一に並べて千鳥状に積み上げてブロック壁７を造る。
【００２６】
この実施例１では、ブロック壁７の大部分に使用する主ブロック８と、ブロック壁７の両端において長さ調整のために使用する副ブロック９がある。正面視で副ブロック９の横方向の長さは、主ブロック８の横方向の長さの１／２である。
【００２７】
主ブロック８は、そのブロック本体１０の背面には、正面から見て後方に突き出る左右対称の２つの突出部１１が一体に形成されており、平面視で全体的に、略π形の形状をしている。また、副ブロック９は、背面には１つの突出部１１が一体に形成されており、平面視で全体的に、略Ｔ形の形状をしている。
【００２８】
突出部１１は、その上面には凸部１２が形成されており、下面には凹部１３が形成されている。これにより、ブロックが上下に積み重ねられる際に、下方のブロックの凸部１２が上方のブロックの１３凹部に嵌合し、ずれ止め防止の効果が生じる。
【００２９】
図３、５に示すように、突出部１１のそれぞれの基部であって上下方向の中央部に、左右方向に貫通する通し孔１６が形成されている。この通し孔１６は、上下方向に長い長孔として形成されている。
【００３０】
施工に際して、基礎コンクリート３上に載置した１段目のブロック列１７を構成する主ブロック８の２つの突出部１１の通し孔１６間に、１段目の連結棒１８を架け渡して取り付ける。連結棒１８は、その両端部がそれぞれボルト２１（雄ねじ）として形成されている。
【００３１】
連結棒１８の両端部のボルト２１を、それぞれ２つの突出部１１のそれぞれの通し孔１６に挿通し、図３、５に示すように、外側から座金２２を介してナット２３で突出部１１に締結する。
【００３２】
この状態で、ブロック壁７の背面側に、ある程度の深さ（通し孔１６が埋まらない程度の深さ）まで盛土し、転圧ローラで転圧して締固め、１層目の盛土工２６を造る。
【００３３】
ブロック６の２つの突出部１１の間において、連結棒１８に断面がＵ字形のＵ形連結板２７を図３、５に示すように装着する。このＵ形連結板２７の間に、水平タイ材２８を、その一端の羽子板３０を介して、ボルト３２及びナット３３で締着する。
【００３４】
そして、水平タイ材２８の他端の羽子板３１には、断面Ｌ形のアンカー材３６を固定する。水平タイ材２８及びアンカー材３６は、ブロック６の背面側から後方に延びるようにして、１層目の盛土工２６の上に配設する。
【００３５】
Ｕ形連結板２７について、図４（ａ）、（ｂ）において、平面図及び断面図を示す。また、水平タイ材２８について、図４（ｃ）において、平面図を示す。水平タイ材２８は、異形棒鋼の両端に、それぞれ羽子板３０、３１が固定して取り付けられている。
【００３６】
そして、ブロック６の突出部１１の背面に当接して、内部壁面材３７を配置する。内部壁面材３７は、実施例１では、エキスパンドメタルを使用する。内部壁面材３７には、その背面側に吸出し防止マット３４を付設してもよい。
【００３７】
内部壁面材３７は、略垂直な壁面部３８と水平部３９とから成り、断面Ｌ形の形状をしている。壁面部３８の高さは、図２において、上下の段の連結棒１８の設置の間隔に、略相当する高さとする。
【００３８】
この状態で、内部壁面材３７の背面側に１段目のブロック列１７の上端部の高さまで盛土を行い転圧して締固め、２層目の盛土工４１を施工する。この２層目の盛土工４１内に、水平タイ材２８及びアンカー材３６は埋め込まれる。これによって、１段目のブロック列１７は、水平タイ材２８及びアンカー材３６によって、強固に支持されることとなる。
【００３９】
２層目の盛土工４１の施工が完了してから、２段目のブロック列４２を１段目のブロック列１７上に千鳥状に積み上げる。２段目のブロック列４２では、図２に示すように、主ブロック８を積み上げるとともに、左右両端には、それぞれ副ブロック９が積まれる。
【００４０】
主ブロック８については、その背面の２つの突出部１１の間に１段目の連結棒１８と同様に２段目の連結棒１８を取り付ける。３層目の盛土を２段目の連結棒１８の直ぐ下の高さまで充填し、転圧して締固め３層目の盛土工４３を造る。
【００４１】
そして、２段目の連結棒１８に、１段目の場合と同様にして、２段目の水平タイ材２８及びアンカー材３６を取り付け、３層目の盛土工４３上に載置する。
【００４２】
なお、副ブロック９については、ここでは図示はしないが、後記する実施例２に示すように、突出部を側面が平坦な形状として、水平タイ材２８の一端を羽子板３０を介して通し孔に通したボルト及びナットで締着する。
【００４３】
この状態で、ブロックの突出部１１の背面に当接して内部壁面材３７を配置し、４層目の盛土工４６を施工する。このような施工をさらに繰り返して、上方に向けて補強土擁壁１を構築する。              
【００４４】
実施例１の補強土擁壁１及びその施工法は、以上のとおりであり、内部壁面材３７は、ブロック６の突出部１１の背面に当接し設置し、しかも、ブロック６や水平タイ材２８に連結するようなことなく、単に、盛土工の上面に載置してから、盛土工内に埋設するように設置したので、強固に固定され、しかもブロックや水平タイ材に拘束されることなく、盛土工の沈み込みとともに沈みこむので、変形等が生じるおそれがない。
【００４５】
また、水平タイ材２８の一端は、ブロック６の突出部１１に取り付けられた連結棒１８及びＵ形連結板２７によって強固に固定され、他端はアンカー材３６によって盛土工内に埋め込まれる。従って、ブロック壁７は、盛土工の前面側に強固に固定され、ブロックの剥がれ落ちや滑落等が発生しにくくなる。
【００４６】
なお、２つの突出部１１の間に連結棒１８を取付け、この連結棒１８にＵ形連結板２７を装着して、これに水平タイ材２８の一端を取り付ける構成であるから、２つの突出部１１の間の空間で、連結棒１８の取付け、Ｕ形連結板２７の装着及び水平タイ材２８の一端を取り付け等の作業が可能であるから、作業がし易い。
【００４７】
さらに、ブロック本体１０と突出部１１の先端の間であって、内部壁面材３７の前方に存在する空洞部４６には、従来例のように砕石や粒状排水材等を充填する必要がなく、連結棒１８、水平タイ材２８、アンカー材３６及び内部壁面材３７の設置のための作業以外は、盛土及びその締固めによる盛土工の施工のみをすればよいので、施工法がきわめて簡単となる。
【００４８】
なお、締固め作業は、ブロック壁７の背面際まで転圧ローラで転圧によって行えるので、強固な盛土工を造ることが可能となる。
【実施例２】
【００４９】
本発明に係る補強土擁壁及びその施工法の実施例２を、図７〜１１において説明する。実施例２の補強土擁壁５０及びその施工法は、実施例１の補強土擁壁及びその施工法と基本的には同じである。
【００５０】
特に、ブロックに取り付けた連結棒１８にＵ形連結板２７を介して水平タイ材２８の一端を取付け、他端にアンカー材３６を取り付けて、盛土工内に埋め込むことで、ブロック壁７を強固に構築する構成及び施工法は同じである。実施例２において、実施例１と同じ構成及び施工法については、説明を省略し、同じ符号を使用する。
【００５１】
しかしながら、実施例２の補強土擁壁５０及びその施工法は実施例１の補強土擁壁５０及びその施工法に較べてブロックの構成が一部異なり、また、内部壁面材を設けない構成においても異なる。以下、実施例１と異なる点を中心に説明する。
【００５２】
実施例２の補強土擁壁５０及びその施工法は、実施例１の場合と同様に、基礎砕石２上に基礎コンクリート２を造り、その上に、ブロック壁を積み重ねる点は同じであるので、この構成及び施工法は、ここでは説明を省略する。
【００５３】
ブロック壁５１の正面及び断面を、それぞれ図８（ａ）、（ｂ）に示すが、複数のブロック５２を千鳥状に積み上げて構築する。ブロック５２は、図７、図８（ｂ）及び図９（ａ）、（ｂ）に示すように、ブロック５２の本体である前壁５３と、前壁５３から背面側に突出した突出部５６と、突出部５６の背面側に一体に形成された前壁５３（ブロック５２の本体）と対向して設けられた後壁５７とから一体に形成されている。
【００５４】
別の表現をすると、突出部５６は、ブロック５２の本体である前壁５３と後壁５７とを結合する橋絡部材として機能する。突出部５６は、図７、図８（ａ）及び図９（ａ）、（ｂ）に示すように、全体形状は断面Ｕ形をしており、左右の側壁５８及び底壁５９から成る。底壁５９には、水抜き孔６１が形成されており、水抜きや、必要に応じて、補強鋼材を上下方向に挿通する孔としても使用可能である。
【００５５】
この実施例２では、ブロック壁５１の大部分に使用する主ブロック６３と、ブロック壁５１の両端において長さ調整のために使用する副ブロック６４がある。副ブロック６４の正面視で横方向の長さは、主ブロック６３の横方向の長さの１／２である。
【００５６】
この実施例２では、突出部５６は、ブロック５２に１つ又は２以上形成されている。主ブロック６３には、左右対称に２つの突出部５６が形成されており、副ブロック６４には、１つの突出部５６が形成されている。突出部５６を構成する左右の側壁５８のいずれかに、左右方向に貫通する通し孔６６が形成されている。
【００５７】
以上のような構成のブロック５２を使用して構築する補強土擁壁５０及び施工法について説明する。１段目のブロック列６７を構築するには、この実施例２では、２つの主ブロック６３を横方向に並べ、それらの左右に、それぞれ副ブロック６４を配置する。
【００５８】
そして、互いに隣接するブロック５２を連結棒１８で連結する。連結棒１８は、その両端部がボルト（雄ねじ）として形成されており、その両端部を隣接するブロック５２の突出部５６の側壁５８に形成された通し孔６６に挿通し、外側から座金２２を介してナット２３によって、それぞれの突出部５６に締結する。これによって、互いに隣接するブロック５２は連結され、１段目のブロック列６７が構築される。
【００５９】
そして、１段目のブロック列６７が構築されてから、その背面側に盛土を充填して転圧して締固め、１層目の盛土工を造る。
【００６０】
その後で、連結棒１８に、実施例１と同様に、Ｕ形連結板２７を装着して、このＵ形連結板２７に水平タイ材２８の一端を、羽子板３０を介してボルト３２及びナット３３で締着する。
【００６１】
水平タイ材２８は、互いに隣接するブロック５２の間の隙間から後方に延ばすように、１層目の盛土工の上に配置する。水平タイ材２８の他端には、羽子板３１を介してアンカー材３６をボルト及びナットで締着する。
【００６２】
この状態で、１段目のブロック列６７の背面側に盛土を充填して転圧して締固め、２層目の盛土工を造る。その後、２段目のブロック列７０を造り、同様の施工を繰り返し、上方に補強土擁壁を構築していく。
【００６３】
この実施例２の補強土擁壁５０では、ブロック５２の後壁５７が、内部壁面材と同様の機能を奏するので、内部壁面材は不要である。前壁５３と後壁５７との間の空洞部は、実施例１と同様に、従来例のように砕石や粒状排水材等を充填する必要がない。
【００６４】
連結棒１８、水平タイ材２８及びアンカー材３６の設置のための作業以外は、盛土及びその締固めによる盛土工の施工のみをすればよいので、施工法がきわめて簡単となる。締固め作業は、ブロック壁５１の後壁５７の背面側には、特に、型枠等の機材は配設しないので、ブロック壁５１の後壁５７の背際まで転圧ローラで転圧によって行えるので、強固な盛土工を造ることが可能となる。
【００６５】
水平タイ材２８の一端は、互いに隣接する２つのブロック５２間の空間において、両者を連結する連結棒１８に、Ｕ形連結板２７を装着して、これに水平タイ材２８の一端を取り付ける構成であるから、取り付け等の作業がし易い。
【００６６】
また、連結棒１８にＵ形連結板２７によって強固に固定され、他端はアンカー材３６によって盛土工内に埋め込まれる。従って、ブロック壁５１は、盛土工の前面側に強固に固定され、ブロック５２の剥がれ落ちや滑落等が発生しにくくなる。
【００６７】
さらに、隣接するブロック５２は、互いに連結棒１８で固定されるので、各段で並設された複数のブロックが一体に結合されるので、ブロック壁５１全体の強度が大きくなる。
【実施例３】
【００６８】
本発明に係る補強土擁壁及びその施工法の実施例３を、図１２〜１４において説明する。実施例３の補強土擁壁７４及びその施工法は、実施例１の補強土擁壁及びその施工法と略同じである。
【００６９】
特に、基礎砕石２上に施工した基礎コンクリート３の上に、ブロックを千鳥状に積み重ね、ブロックの背面から突出した突出部に、水平タイ材２８の一端を取付け、他端にアンカー材３６を取り付け、ブロックの背面に設けた内部壁面材３７とともに、盛土工内に埋め込むことで、ブロック壁を強固に構築する構成及び施工法は同じである。なお、内部壁面材３７には、その背面側に吸出し防止マット３４を付設してもよい。
【００７０】
しかし、実施例３の補強土擁壁７４及びその施工法では、ブロックの背面から２つ突出した突出部に水平タイ材の一端を取付ける取付構造は、実施例１の補強土擁壁７４及びその施工法とは異なり、２つの突出部にそれぞれ水平タイ材２８を取り付ける（要するに２本の水平タイ材）構造において異なる。
【００７１】
以下、実施例１と異なる構成及び施工法を中心に説明し、実施例１と同じ構成については、同じ符号を使用する。
【００７２】
この実施例３では、ブロック７５は、実施例１と同様に、ブロック壁７６の大部分に使用する主ブロック７７と、ブロック壁７６の左右両端において長さ調整のために使用する副ブロック７８がある。正面視で副ブロック７８の横方向の長さは、主ブロック７７の横方向の長さの１／２である。
【００７３】
実施例１と同様に、主ブロック７７は、背面には左右対称に２つの突出部７１が形成されており、平面視で全体的に、略π形の形状をしている。また、副ブロック７８は、背面には１つの突出部７１が形成されており、平面視で全体的に、略Ｔ形の形状をしている。
【００７４】
突出部８１は、その上面には凸部８２が形成されており、下面には凹部８３が形成されている。これにより、ブロック７５が上下に積み重ねられる際に、下方のブロック７５の凸部８２が上方のブロック７５の凹部８３に嵌合し、ずれ止め防止の効果が生じる。
【００７５】
また、突出部８１の上下部には、左右方向に貫通し、ボルトを挿通させる上部の通し孔８６と下部の通し孔８７が形成されている。
【００７６】
以上のような構成のブロック７５を使用して補強土擁壁７４を構築する施工について説明する。１段目のブロック列８８を構築するには、基礎砕石２上に基礎コンクリート３を施工し、この基礎コンクリート３上に、複数の主ブロック７７（図１３では２つの主ブロック７７が示されている）を面一で横方向に並べ、１段目のブロック列８８を造る。
【００７７】
基礎砕石２上であって基礎コンクリート３の背面側に、内部壁面材３７を設置する。この状態で、１段目のブロック列８８及び内部壁面材３７の背面側に、ブロック７５の突出部８１の下部の通し孔８７のすぐ下まで、盛土を充填して、転圧ローラで転圧して締固め、１層目の盛土工９１を造る。
【００７８】
１段目のブロック列８８のブロック７５の２つの突出部８１のそれぞれ下部の通し孔８７の位置の外面に、水平タイ材２８を、その一端に固定した羽子板３０を当接し、下部の通し孔８７を通したボルト９２及びナット９３で締着する。
【００７９】
水平タイ材２８の他端に固定した羽子板３１には、断面Ｌ形のアンカー材３６を固定する。水平タイ材２８及びアンカー材３６は、ブロック７５の背面側から後方に延びるようにして、１層目の盛土工９１上に配設する。
【００８０】
そして、ブロック７５の突出部８１の背面に当接して、内部壁面材３７を配置する。内部壁面材３７は、実施例２では、実施例１と同様にエキスパンドメタルを使用する。内部壁面材３７は、略垂直な壁面部３８と水平部３９とから成り、断面Ｌ形の形状をしている。
【００８１】
壁面部３８の高さは、互いに上下方向に隣接する通し孔８６、８７の間隔より短くして、内部壁面材３７を盛土工の上に載置した状態で、該盛土工の表面より上方の通し孔より上にならないようにする。内部壁面材３７の壁面部３８の上端と水平部３９の後端間に、斜めタイ材４０を装着し、補強を行う。
【００８２】
この状態で、ブロック７５の突出部８１の上部の通し孔８７の直ぐ下まで、内部壁面材３７の背面側に盛土を行い、転圧ローラで転圧して締固め、２層目の盛土工９６を施工する。この２層目の盛土の際に、水平タイ材２８及びアンカー材３６は土中に埋め込まれる。これによって、１段目のブロック列８８は、水平タイ材２８及びアンカー材３６によって、強固に支持されることとなる。
【００８３】
２層目の盛土工９６の施工が完了してから、ブロック７５の２つ突出部８１のそれぞれ上部の通し孔８７の位置において外面に、水平タイ材２８を、その一端の羽子板３０を当接し、上部の通し孔８７を通したボルト９２及びナット９３で締着する。水平タイ材２８の他端の羽子板３１には、断面Ｌ形のアンカー材３６を固定する。
【００８４】
水平タイ材２８及びアンカー材３６は、ブロック７５の背面側から後方に延びるようにして、２層目の盛土工９６上に配設する。そして、ブロック７５の突出部８１の背面に当接して、内部壁面材３７を配置する。２段目のブロック列９７を１段目のブロック列８８の上に千鳥状に積み上げる。この場合、主ブロック７７の左右の両端の部分には副ブロック７８を積み上げる。
【００８５】
この状態で、２段目のブロック列９７の背面側に３層目の盛土を２段目のブロックの下部の通し孔８６の直ぐ下まで充填し、転圧して締め固め３層目の盛土工９８を造る。以上の施工を繰り返すことで、上方に向けて補強土擁壁７４を構築することができる。
【００８６】
実施例３の補強土擁壁７４及びその施工法は、以上のとおりであり、内部壁面材３７は、ブロック７５の突出部８１の背面に当接し設置し、しかも、ブロック７５や水平タイ材２８に連結するようなことなく、単に、盛土工の上面に載置し、盛土工内に埋設するように設置したので、強固に固定され、しかもブロック７５や水平タイ材２８に拘束されることなく、盛土工の沈み込みとともに沈みこみ変形等が生じるおそれがない。
【００８７】
また、水平タイ材２８の一端は、ブロック７５の突出部８１にそれぞれ強固に固定され、他端はアンカー材３６によって盛土内に埋め込まれる。従って、ブロック壁７６は、盛土工の前面側に強固に固定され、ブロック７５の剥がれ落ちや滑落等が発生しにくくなる。
【００８８】
さらに、ブロック７５の本体９９と突出部８１の先端の間であって、内部壁面材３７の前方に存在する空洞部１００には、従来例のように砕石や粒状排水材等を充填する必要がなく、水平タイ材２８、アンカー材３６及び内部壁面材３７の設置のための作業以外は、盛土及びその締固めによる盛土工の施工のみをすればよいので、施工法がきわめて簡単となる。
【００８９】
締固め作業は、ブロック壁７６の背面際まで転圧ローラで転圧によって行えるので、強固な盛土工を造ることが可能となる。
【００９０】
以上、本発明に係る補強土擁壁及びその施工法を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００９１】
本発明に係る補強土擁壁及びその施工法は上記のような構成であるから、道路擁壁、駐車場や工場等の敷地造成地の擁壁、土捨て場の擁壁、治山ダム、砂防ダム等に適用可能である。
【符号の説明】
【００９２】
１  実施例１の補強土擁壁             
２  基礎砕石                         
３  基礎コンクリート                 
６  ブロック                         
７  ブロック壁                       
８  主ブロック                       
９  副ブロック                       
１０  ブロック本体                   
１１  突出部                         
１２  突出部の上面の凸部             
１３  突出部の下面の凹部             
１６  通し孔                         
１７  １段目のブロック列             
１８  連結棒                         
２１  連結棒の両端部のボルト（雄ねじ）     
２２  座金                           
２３  ナット                         
２６  １層目の盛土工                 
２７  Ｕ形連結板                     
２８  水平タイ材                     
３０、３１  羽子板                   
３２  ボルト                         
３３  ナット 
３４  吸出し防止マット                        
３６  アンカー材                     
３７  内部壁面材                     
３８  壁面部                         
３９  水平部                         
４０  斜めタイ材                     
４１  ２層目の盛土工                 
４２  ２段目のブロック列             
４３  ３層目の盛土工
４６  ４層目の盛土工         
５０  実施例２の補強土擁壁           
５１  ブロック壁                     
５２  ブロック                       
５３  前壁                           
５６  突出部                         
５７  後壁                           
５８  突出部の左右の側壁             
５９  底壁                           
６１  水抜き孔                       
６３  主ブロック                     
６４  副ブロック                     
６６  通し孔                         
６７  １段目のブロック列             
７０  ２段目のブロック列             
７４  実施例３の補強土擁壁           
７５  ブロック                       
７６  ブロック壁                     
７７  主ブロック                     
７８  副ブロック                     
８１  突出部                         
８２  突出部の上面の凸部             
８３  突出部の下面の凹部             
８６  上部の通し孔                   
８７  下部の通し孔                   
８８  １段目のブロック列             
９１  １層目の盛土工                 
９２  ボルト                         
９３  ナット                         
９６  ２層目の盛土工                 
９７  ２段目のブロック列             
９８  ３層目の盛土工                 
９９  ブロックの本体             
１００  空洞部
【図１】
0005843550.tif 000002
【図２】
0005843550.tif 000003
【図３】
0005843550.tif 000004
【図４】
0005843550.tif 000005
【図７】
0005843550.tif 000006
【図８】
0005843550.tif 000007
【図９】
0005843550.tif 000008
【図１２】
0005843550.tif 000009
【図１３】
0005843550.tif 000010
【図１４】
0005843550.tif 000011
【図５】
0005843550.tif 000012
【図６】
0005843550.tif 000013
【図１０】
0005843550.tif 000014
【図１１】
0005843550.tif 000015